(57)【特許請求の範囲】
【請求項１】
電線が電気的に接続される電線接続部と、相手側の端子金具の挿入子が挿入される電気接触部と、を備え、前記電線接続部が前記電線を載置する壁と前記電線をかしめる複数のかしめ片とを有し、前記電気接触部が互いに間隔を存して配されかつ互いの間に前記挿入子が挿入される一対の壁と前記挿入子を前記一対の壁のうち一方の壁に向かって付勢してこの一方の壁とともに挟み込む弾性片とを有した端子金具において、
前記壁に相当する壁相当部と、前記かしめ片に相当するかしめ片相当部と、前記一方の壁に相当する第２壁相当部と、前記弾性片に相当する弾性片相当部と、を有した板金が屈曲されて形成されているとともに、
前記かしめ片相当部が、前記壁相当部の前記挿入子の挿入方向に対し交差する方向に沿った両端に位置する縁に連なっているとともに、
前記弾性片相当部が、前記第２壁相当部の前記挿入子の挿入方向に対し交差する方向に沿った端に位置する縁から外方に向かって突出した連結部と、この連結部に連結しかつ前記挿入子の挿入方向に沿って延在した帯部と、を備え、
前記連結部が、前記第２壁相当部の前記かしめ片相当部寄りの箇所に連なっているとともに、
前記帯部が前記連結部から前記かしめ片相当部に向かって前記挿入子の挿入方向に沿って延在していることを特徴とする端子金具。
【請求項２】
前記弾性片相当部は前記連結部が第２壁相当部の縁に沿って折り曲げられて前記弾性片に形成され、
前記板金は、第２壁相当部の縁に沿って折り曲げられた前記連結部の折り曲げ箇所が侵入可能な折り曲げ箇所収容窓を備えていることを特徴とする請求項１記載の端子金具。
【発明の詳細な説明】
【０００１】
【発明の属する技術分野】
本発明は、電線と、ブスバー、リレーやヒューズなどの電気部品の接続端子などと、の接続に用いられる端子金具に関する。
【０００２】
【従来の技術】
電線と、ブスバー、リレーやヒューズなどの電気部品の接続端子などとの接続には、例えば、実開昭６１−１８０４６９８号公報に示された端子金具１０１（図５に示す）が用いられてきた。図５に例示された端子金具１０１は、図６に示す導電性を有する一枚の板金１２０を折り曲げるなどして得られる。端子金具１０１は、電線接続部１０４と、電気接触部１０５と、を備えている。
【０００３】
電線接続部１０４は、底壁１１０ａと、この底壁１１０ａの縁に連なるかしめ片１１１と、を備えている。電線接続部１０４は、芯線が露出した状態の図示しない電線の端部を底壁１１０ａ上に載置した後、この電線の端部を底壁１１０ａに押しつける方向にかしめ片１１１が曲げられて、電線と電気的に接続される。
【０００４】
電気接触部１０５は、底壁１１０ｂと、この底壁１１０ｂと相対する天井壁１１２と、前記底壁１１０ｂと天井壁１１２とを互いに連ねる側壁１１３と、弾性片１１５と、を備えて筒状に形成されている。なお、電気接触部１０５の底壁１１０ｂと電線接続部１０４の底壁１１０ａとは、互いに面一でかつ一体に形成されている。
【０００５】
弾性片１１５は、帯状に形成されている。弾性片１１５は、その長手方向が前記底壁１１０ａ上に載置される電線に沿っている。弾性片１１５は、一端部が、天井壁１１２の電線接続部１０４寄りの箇所に一体に形成されている。
【０００６】
弾性片１１５は、他端部が底壁１１０ｂの長手方向に沿った中央に位置するように、前記一端部から底壁１１０ｂの縁部に向かって曲げられている。弾性片１１５は、底壁１１０ｂ上に重ねられている。弾性片１１５は、底壁１１０ｂに沿って配されている。
【０００７】
弾性片１１５は、一端部が天井壁１１２と一体に形成されたいわゆる片持ちの状態となっている。弾性片１１５は、前記他端部が天井壁１１２に対し接離自在に弾性変形可能となっている。
【０００８】
また、弾性片１１５は、弾性押圧部１１６を備えている。弾性押圧部１１６は、弾性片１１５の他端部に設けられている。弾性押圧部１１６は、弾性片１１５の長手方向に沿った中央部より天井壁１１２に向かって凸の曲面に形成されている。弾性押圧部１１６は、側方からみて山形に形成されている。
【０００９】
前述した構成の従来の端子金具１０１には、図５中に二点鎖線Ｐで示すブスバーなどの雄タブや前述した電気部品の接続端子などの挿入子１０２が、前記底壁１１０ｂと天井壁１１２との間でかつ側壁１１３相互間に挿入される。挿入された挿入子１０２は、弾性片１１５の弾性押圧部１１６と当接するとともに、挿入子１０２の挿入動作に連動して弾性押圧部１１６が天井壁１１２から離れる方向に変位する。
【００１０】
そして、弾性片１１５は、挿入子１０２を天井壁１１２に向かって付勢する弾性復元力を生じる。弾性片１１５は、挿入された挿入子１０２を天井壁１１２とともに挟み込む。端子金具１０１は、前記電線接続部１０４に電気的に接続した電線と前記挿入子１０２とを相互に電気的に接続する。
【００１１】
図６に例示された板金１２０は、導電性を有する金属板を打ち抜くことなどによって得られる。この板金１２０は略矩形状に形成されている。板金１２０は、その幅方向に沿った中央に設けられた底壁相当部１２１と、一対の側壁相当部１２２と、天井壁相当部１２３と、複数のかしめ片相当部１２４と、弾性片相当部１２６と、を備えている。
【００１２】
底壁相当部１２１と一対の側壁相当部１２２と天井壁相当部１２３と複数のかしめ片相当部１２４と、弾性片相当部１２６と、は、それぞれ、板金１２０が図中一点鎖線Ｑで示す折り線などで折り曲げられて形成される端子金具１０１の底壁１１０ａ，１１０ｂと側壁１１３と天井壁１１２とかしめ片１１１と弾性片１１５に相当する。
【００１３】
底壁相当部１２１は、板金１２０の長手方向に沿った帯状に形成されている。側壁相当部１２２は、底壁相当部１２１の幅方向に沿った縁に連なっている。それぞれの側壁相当部１２２は、帯状に形成されている。天井壁相当部１２３は、一方の側壁相当部１２２の縁に連なっている。天井壁相当部１２３は、帯状に形成されている。
【００１４】
かしめ片相当部１２４は、それぞれ、底壁相当部１２１の前記底壁１１０ａに相当する部分の縁に連なっている。かしめ片相当部１２４は、底壁相当部１２１の縁から外方向に向かって延在している。弾性片相当部１２６は、帯状に形成されている。弾性片相当部１２６は、一端部が、天井壁相当部１２３のかしめ片相当部１２４寄りに位置する縁１２３ａに連なっている。
【００１５】
弾性片相当部１２６は、天井壁相当部１２３の縁１２３ａから、板金１２０の長手方向に沿った端に位置しかつ前記かしめ片相当部１２４が形成された側に位置する縁部１２０ａに向かって延在している。弾性片相当部１２６は、天井壁相当部１２３に沿って配されている。このような構成の前記板金１２０を、折り線Ｑに沿って折り曲げるとともに弾性片相当部１２６をその先端部が側壁相当部１２２の縁１２２ａの近傍に位置するように曲げて、前述した従来の端子金具１０１を得る。
【００１６】
【発明が解決しようとする課題】
しかしながら、前述した板金１２０の弾性片相当部１２６が、天井壁相当部１２３に沿って配されているとともに、天井壁相当部１２３の縁部から板金１２０の縁部１２０ａに向かって延在している。このため、弾性片相当部１２６とかしめ片相当部１２４とが互いに近接する傾向であり、底壁相当部１２１の幅方向に沿ったかしめ片相当部１２４の幅が小さくなる傾向となっていた。
【００１７】
このため、従来の端子金具１０１は、電線接続部１０４に接続できる電線の太さ即ち大きさに制限が生じてしまう、つまり比較的大きな電線を接続することが困難となる傾向であった。
【００１８】
さらに、前記弾性相当部１２６とかしめ片相当部１２４とが互いに近接しているため、弾性片相当部１２６の幅が小さくなる傾向となっていた。このため、弾性片相当部１２６を曲げるなどして形成される弾性片１１５が、挿入子１０２を天井壁１１２に向かって付勢する弾性復元力が弱くなる傾向となって、前記挿入子１０２が前記弾性片１１５と天井壁１１２との間から不意に脱落しやすい傾向となっていた。
【００１９】
したがって本発明の目的は、比較的大きな電線を接続することを可能とするとともに、相手側の端子金具の挿入子の不意な脱落を防止できる端子金具を提供することにある。
【００２０】
【課題を解決するための手段】
前記課題を解決し目的を達成するために、請求項１に記載の本発明の端子金具は、電線３が電気的に接続される電線接続部４と、相手側の端子金具２の挿入子２ａが挿入される電気接触部５と、を備え、前記電線接続部４が前記電線３を載置する壁１０ａと前記電線３をかしめる複数のかしめ片１１とを有し、前記電気接触部５が互いに間隔を存して配されかつ互いの間に前記挿入子２ａが挿入される一対の壁１０ｂ，１２と前記挿入子２ａを前記一対の壁１０ｂ，１２のうち一方の壁１２に向かって付勢してこの一方の壁１２とともに挟み込む弾性片１５とを有した端子金具１において、前記壁１０ａに相当する壁相当部２１ａと、前記かしめ片１１に相当するかしめ片相当部２４と、前記一方の壁１２に相当する第２壁相当部２３と、前記弾性片１５に相当する弾性片相当部２６と、を有した板金２０が屈曲されて形成されているとともに、前記かしめ片相当部２４が、前記壁相当部２１ａの前記挿入子２ａの挿入方向に対し交差する方向に沿った両端に位置する縁に連なっているとともに、前記弾性片相当部２６が、前記第２壁相当部２３の前記挿入子２ａの挿入方向に対し交差する方向に沿った端に位置する縁２０ｂから外方に向かって突出した連結部３８と、この連結部３８に連結しかつ前記挿入子２ａの挿入方向に沿って延在した帯部３９と、を備え、前記連結部３８が、前記第２壁相当部２３の前記かしめ片相当部２４寄りの箇所に連なっているとともに、前記帯部３９が前記連結部３８から前記かしめ片相当部２４に向かって前記挿入子２ａの挿入方向に沿って延在していることを特徴としている。
【００２２】
請求項２に記載の本発明の端子金具は、請求項１に記載の端子金具において、前記弾性片相当部２６は前記連結部３８が第２壁相当部２３の縁２０ｂに沿って折り曲げられて前記弾性片１５に形成され、前記板金２０は、第２壁相当部２３の縁２０ｂに沿って折り曲げられた前記連結部３８の折り曲げ箇所４０が侵入可能な折り曲げ箇所収容窓４１を備えていることを特徴としている。
【００２３】
請求項１に記載の本発明の端子金具によれば、板金の弾性片相当部が、挿入子の挿入方向に対し交差する方向に沿った両端に位置する第２壁相当部の縁から外方に向かって突出した連結部と、この連結部に連結した帯部と、を備えている。このため、弾性片相当部の帯部とかしめ片相当部とが互いに干渉しにくくなる。したがって、かしめ片相当部と、帯部即ち弾性片相当部の幅とを、それぞれ必要に応じた大きさまで大きくすることが可能となる。
【００２４】
請求項２に記載の本発明の端子金具によれば、弾性片として形成されるために折り曲げられる弾性片相当部の連結部の折り曲げ箇所が、折り曲げ箇所収容窓内に侵入する。このため、帯部の幅を前記壁及び一方の壁の幅と略等しくなるまで大きく確保することが可能となる。
【００２５】
【発明の実施の形態】
以下、本発明の一実施形態にかかる端子金具１を図１ないし図４を参照して説明する。図１ないし図３などに示す端子金具１は、相手側の端子金具２（図２中に二点鎖線で示す）と、電線３とを、相互に電気的に接続するために用いられる。なお、相手側の端子金具２として、ブスバーなどの雄タブや、リレー及びヒューズなどの電気部品の接続端子などがある。
【００２６】
前記相手側の端子金具２は、図２に示すように、端子金具１の後述する電気接触部５内に侵入可能な挿入子２ａを備えている。挿入子２ａは、ブレード状に形成されている。相手側の端子金具２は、挿入子２ａを含めて導電性を有する金属などから構成されている。
【００２７】
端子金具１は、図１及び図２に示すように、前記電線３が電気的に接続される電線接続部４と、前記相手側の端子金具２の挿入子２ａが電気的に接続される電気接触部５と、を備えている。
【００２８】
電線接続部４は、図１及び図２に示すように、底壁１０ａと、この底壁１０ａの縁に連なる複数のかしめ片１１と、を備えている。底壁１０ａは、平坦に形成されている。底壁１０ａは、平面形状が矩形状に形成されている。底壁１０ａは、その上に芯線が露出した状態の電線３の端部が載置される。なお、この底壁１０ａは、本明細書に記した壁をなしている。かしめ片１１は、底壁１０ａの幅方向に沿った両端に位置する縁それぞれに連なっている。
【００２９】
電線接続部４は、底壁１０ａ上に芯線が露出した状態の電線３の端部を載置した後、この電線３の端部を底壁１０ａに向かって押しつける方向にかしめ片１１を曲げて、即ちかしめ片１１で電線３をかしめて、電線３と電気的に接続される。
【００３０】
電気接触部５は、図２などに示すように、平坦な底壁１０ｂと、この底壁１０ｂに間隔を存して相対する天井壁１２と、前記底壁１０ｂと天井壁１２とを互いに連ねる一対の側壁１３と、弾性片１５と、を備えている。電気接触部５は、図３に示すように、各壁１０ｂ，１２，１３を備えた中空角柱状の筒状に形成されている。なお、底壁１０ｂと、電線接続部４の底壁１０ａと、は互いに面一でかつ一体に形成されている。
【００３１】
底壁１０ｂは、その平面形状が矩形状に形成されている。底壁１０ｂの幅は、前記電線接続部４の底壁１０ａの幅と略等しく形成されている。天井壁１２は、その平面形状が底壁１０ｂと略等しく形成されている。天井壁１２は、平面形状が矩形状に形成されている。天井壁１２は、底壁１０ｂと平行な状態で配されている。
【００３２】
それぞれの側壁１３は、前記底壁１０ｂの幅方向に沿った両端に位置する縁と、天井壁１２の幅方向に沿った両端に位置する縁と、に連なっている。側壁１３は、互いに平行に配されている。なお、前記底壁１０ｂと天井壁１２とは、本明細書に記した一対の壁をなしている。天井壁１２は、本明細書に記した一方の壁をなしている。
【００３３】
このように筒状に形成された電気接触部５は、その内側に、挿入子２ａを挿入する。即ち、挿入子２ａを、底壁１０ｂと天井壁１２との間でかつ一対の側壁１３相互の間に位置させる。電気接触部５は、その内側に、挿入子２ａを前記底壁１０ｂ及び天井壁１２の長手方向に沿って出し入れする。
【００３４】
弾性片１５は、帯状に形成されている。弾性片１５は、その長手方向が挿入子２ａの挿入方向即ち底壁１０ａ，１０ｂと天井壁１２それぞれの長手方向に沿っている。弾性片１５は、底壁１０ｂに重ねられている。弾性片１５は、底壁１０ｂの天井壁１２寄りの表面上に重ねられている。
【００３５】
弾性片１５は、一端部１５ａが、天井壁１２の電線接続部４寄りの箇所に一体に形成されている。弾性片１５は、他端部１５ｂが底壁１０ｂの縁の近傍に位置するように、前記一端部１５ａから底壁１０ｂの縁に向かって曲げられている。
【００３６】
弾性片１５は、一端部１５ａが天井壁１２と一体に形成されたいわゆる片持ちの状態となっている。弾性片１５は、前記両端部１５ａ，１５ｂ相互間に位置する中央部１５ｃが底壁１０ｂ上に配されている。
【００３７】
弾性片１５は、弾性押圧部１６を備えている。弾性押圧部１６は、弾性片１５の他端部１５ｂに設けられている。弾性押圧部１６は、中央部１５ｃより天井壁１２に向かって突出している。弾性押圧部１６は、側方からみて山形に形成されている。
【００３８】
弾性片１５は、一端部１５ａが天井壁１２に一体に形成されたいわゆる片持ちの状態となっているため、前記他端部１５ｂすなわち弾性押圧部１６が天井壁１２に対し接離自在に、弾性変形可能となっている。
【００３９】
弾性片１５は、電気接触部５内に挿入子２ａが挿入されると、弾性押圧部１６が挿入子２ａと当接する。挿入子２ａが電気接触部５内に挿入されるのにしたがって、弾性押圧部１６が天井壁１２から離れる方向に徐々に変位する。そして、弾性片１５は、挿入子２ａを天井壁１２に向かって付勢する弾性復元力を生じる。弾性片１５は、挿入された挿入子２ａを天井壁１２とともに挟み込む。
【００４０】
また、端子金具１は、後述する板金２０の弾性片相当部２６の連結部３８が折り曲げられて形成される折り曲げ箇所４０が侵入可能な窓１７を備えている。窓１７は、図３に示すように、一方の側壁１３と天井壁１２とに亘って形成されている。窓１７は、一方の側壁１３と天井壁１２とを、それぞれ貫通している。窓１７は、板金２０が、後述する折り線３０ａ，３０ｂ，３１，３２に沿って折り曲げて端子金具１として形成された際に、前記折り曲げ箇所４０を収容する。
【００４１】
前述した構成の端子金具１は、図４に示す導電性を有する板金２０を折り曲げるなどして形成される。即ち、端子金具１は板金２０が屈曲されて形成される。板金２０は、銅又は銅合金（黄銅、ベリリウム銅などを含む）からなる導電性金属板を打ち抜いて得られる。板金２０は、平面形が略矩形状に形成されている。
【００４２】
板金２０は、図４に示すように、その幅方向に沿った略中央に設けられた底壁相当部２１と、一対の側壁相当部２２と、一対の天井壁相当部２３と、複数のかしめ片相当部２４と、弾性片相当部２６と、を備えている。
【００４３】
底壁相当部２１は、帯状に形成されている。底壁相当部２１は板金２０の長手方向に沿っている。底壁相当部２１は、板金２０が後述するように折り線３０ａ，３０ｂ，３１，３２などで折り曲げられて形成される端子金具１の底壁１０ａ，１０ｂに相当する。
【００４４】
それぞれの側壁相当部２２は、底壁相当部２１の幅方向に沿った両端に位置する縁に連なっている。それぞれの側壁相当部２２は、底壁相当部２１の前記底壁１０ｂに相当する部分の縁に連なっている。それぞれの側壁相当部２２は、帯状に形成されている。それぞれの側壁相当部２２は、板金２０の長手方向に沿って延在している。それぞれの側壁相当部２２は、板金２０が後述するように折り線３０ａ，３０ｂ，３１，３２などで折り曲げられて形成される端子金具１の側壁１３に相当する。
【００４５】
それぞれの天井壁相当部２３は、側壁相当部２２それぞれの縁に連なっている。それぞれの天井壁相当部２３は、帯状に形成されている。それぞれの天井壁相当部２３は、板金２０の長手方向に沿って延在している。それぞれの天井壁相当部２３は、板金２０が後述するように折り線３０ａ，３０ｂ，３１，３２などで折り曲げられて形成される端子金具１の天井壁１２に相当する。なお、それぞれの天井壁相当部２３は、本明細書に記した第２壁相当部をなしている。
【００４６】
かしめ片相当部２４は、それぞれ、底壁相当部２１の幅方向に沿った両端に位置する縁に連なっている。かしめ片相当部２４は、それぞれ、底壁相当部２１の前記底壁１０ａに相当する部分２１ａの縁に連なっている。即ち、かしめ片相当部２４は、部分２１ａの前記挿入子２ａの挿入方向に対し交差する方向に沿った両端に位置する縁に連なっている。かしめ片相当部２４は、それぞれ、板金２０を折り曲げるなどして形成される端子金具１のかしめ片１１に相当する。
【００４７】
また、前記底壁相当部２１の前記かしめ片相当部２４側に位置する部分２１ａは、前記電線３が載置される底壁１０ａに相当する本明細書に記した壁相当部をなしている。
【００４８】
弾性片相当部２６は、連結部３８と、帯部３９とを備えている。連結部３８は、一方の天井壁相当部２３の板金２０の長手方向に沿った中央部寄りの端部に連なっている。即ち、連結部３８は、一方の天井壁相当部２３のかしめ片相当部２４寄りの箇所に連なっている。連結部３８は、前記一方の天井壁相当部２３から板金２０の幅方向に沿って外方に向かって突出している。このように、連結部３８は、板金２０の縁２０ｂから外方に向かって延在している。なお、この縁２０ｂは、板金２０の幅方向に沿った端に位置している。即ち、縁２０ｂは、天井壁相当部２３の前記挿入子２ａの挿入方向に対し交差する方向に沿った端に位置している。
【００４９】
帯部３９は、帯状に形成されている。帯部３９は一端部が前記連結部３８と一体に形成されている。帯部３９は、一端部が連結部３８に連結している。帯部３９は、その長手方向が板金２０の長手方向に沿っている。即ち、帯部３９は、挿入子２ａの挿入方向に沿って延在している。
【００５０】
帯部３９は、前記連結部３８から、前記板金２０の長手方向に沿った端に位置する縁２０ｃに向かって延在している。弾性部相当部３９は、前記連結部３８から、かしめ片相当部２４が設けられた側に位置する板金２０の縁２０ｃに向かって延在している。
【００５１】
また、前記板金２０は、前記窓１７に相当する折り曲げ箇所収容窓４１を備えている。折り曲げ箇所収容窓４１は、板金２０を貫通している。折り曲げ箇所収容窓４１は、前記他方の天井壁相当部２３とこの他方の天井壁相当部２３に連なる側壁相当部２２とに亘って形成されている。
【００５２】
折り曲げ箇所収容窓４１は、平面形状が略矩形状に形成されている。折り曲げ箇所収容窓４１は、その内側に、連結部３８が折り線３２に沿って折り曲げて形成される折り曲げ箇所４０を収容する。
【００５３】
前記板金２０から端子金具１を形成する際には、まず、図中にそれぞれ一点鎖線で示す一対の折り線３０ａ，３０ｂと一対の折り線３１に沿って板金２０を折り曲げて、側壁相当部２２を互いに相対向させるとともに天井壁相当部２３と底壁相当部２１とを相対向させる。
【００５４】
このとき、天井壁相当部２３を互いに重ねる。なお、前記連結部３８が連なる一方の天井壁相当部２３を内側に位置させかつ前記折り曲げ箇所収容窓４１が形成された他方の天井壁相当部２３を外側に位置させる。
【００５５】
なお、前記折り線３０ａ，３０ｂは、それぞれ、底壁相当部２１とそれぞれの側壁相当部２２との間に配されている。前記折り線３０ａ，３０ｂは、それぞれ、板金２０の長手方向に沿って延在している。前記折り線３１は、縁２０ａ，２０ｂそれぞれと一対の折り線３０ａ，３０ｂとの板金２０の幅方向に沿った中間に設けられており、板金２０の長手方向に沿って延在している。なお、縁２０ａ，２０ｂは、板金２０の幅方向に沿った両端に位置している。
【００５６】
さらに、図４中に一点鎖線で示す折り線３２に沿って、連結部３８即ち弾性片相当部２６を天井壁相当部２３に重ねるように折り曲げる。折り線３２は、板金２０の縁２０ｂ即ち前記一方の天井壁相当部２３の縁に沿っている。折り線３２は、板金２０の長手方向に沿っている。
【００５７】
このため、連結部３８即ち弾性片相当部２６は、前記一方の天井壁相当部２３の縁に沿って折り曲げられる。なお、前記折り線３２に沿って折り曲げられて形成される折り曲げ箇所４０（図３に示す）は、前記折り曲げ箇所収容窓４１内に侵入する即ち収容される。そして、帯部３９の先端部を板金２０の縁２０ｄに向かって曲げるとともに、帯部３９を折り曲げて前記弾性押圧部１６を形成する。そして、前述した本実施形態にかかる端子金具１が得られる。なお、前記端２０ｄは、前記側壁相当部２２などが設けられた側に位置する板金２０の端に位置している。
【００５８】
前述した構成によれば、挿入子２ａを電気接触部５内に挿入すると、この挿入子２ａの先端部が弾性片１５の弾性押圧部１６に当接する。挿入子２ａを電気接触部５内に挿入されるのにしたがって、弾性押圧部１６が天井壁１２から徐々に離れて底壁１０ａ，１０ｂに近づくように、弾性片１５が弾性変形する。
【００５９】
弾性片１５は、挿入子２ａを天井壁１２に向かって押しつける弾性復元力を生じる。弾性片１５は、弾性復元力によって、挿入子２ａを天井壁１２に向かって押しつけるとともに、天井壁１２とともに挿入子２ａを挟み込む。
【００６０】
本実施形態によれば、板金２０の弾性片相当部２６が、一方の天井壁相当部２３即ち板金２０の挿入子２ａの挿入方向に対し交差する方向に沿った端に位置する縁２０ｂから外方に向かって突出した連結部３８と、この連結部３８に連結した帯部３９と、を備えている。なお、この帯部３９は、前記挿入子２ａの挿入方向に沿っている。
【００６１】
このため、弾性片相当部２６の帯部３９とかしめ片相当部２４とが互いに干渉しにくくなる。したがって、かしめ片相当部２４を、それぞれ必要に応じた大きさまで確実に大きくすることが可能となる。したがって、比較的大きな電線３を電線接続部４に確実に接続することが可能となる。
【００６２】
また、弾性片相当部２６の帯部３９とかしめ片相当部２４とが互いに干渉しにくくなるので、帯部３９即ち弾性片相当部２６の幅を必要に応じた大きさまで確実に大きくすることが可能となる。
【００６３】
さらに、弾性片１５として形成される際に連結部３８が前記縁２０ｂに沿って折り曲げられて形成される折り曲げ箇所４０が、折り曲げ箇所収容窓４１内に侵入する。このため、帯部３９の幅を前記天井壁１２及び底壁１０ａ，１０ｂの幅と略等しくなるまで大きく確保できる。
【００６４】
したがって、弾性片１５が天井壁１２とともに挿入子２ａを挟み込むために必要とされる十分な弾性復元力を確保することができ、挿入子２ａの不意な脱落を防止できる。
【００６５】
【発明の効果】
以上説明したように、請求項１記載の本発明によれば、板金の弾性片相当部が第２壁相当部の縁から外方に向かって突出した連結部を備えているため、前記弾性片相当部の前記連結部に連結した帯部とかしめ片相当部とが互いに干渉しにくくなる。このため、かしめ片相当部と、前記帯部即ち弾性片相当部の幅とを、それぞれ必要に応じた大きさまで大きくすることが可能となる。
【００６６】
したがって、比較的大きな電線を接続することが可能となるとともに、弾性片が一方の壁とともに挿入子を挟み込むために必要とされる十分な弾性復元力を確保することができ、相手側の端子金具の挿入子の不意な脱落を防止することができる。
【００６７】
請求項２に記載の本発明によれば、弾性片として形成されるために折り曲げられる連結部の折り曲げ箇所が板金の窓内に侵入するので、帯部の幅を前記壁及び一方の壁の幅と略等しくなるまで十分に大きく確保することが可能となる。したがって、弾性片が一方の壁とともに挿入子を挟み込むために必要とされる十分な弾性復元力をより確実に確保することができ、相手側の端子金具の挿入子の不意な脱落をより確実に防止することができる。
【図面の簡単な説明】
【図１】本発明の一実施形態にかかる端子金具を示す平面図である。
【図２】図１中のＩＩ―ＩＩ線に沿う断面図である。
【図３】図１中のＩＩＩ―ＩＩＩ線に沿う断面図である。
【図４】同実施形態の端子金具を形成する板金を示す平面図である。
【図５】従来の端子金具の一部を断面で示す側面図である。
【図６】図５に示された端子金具を形成する板金を示す平面図である。
【符号の説明】
１  端子金具
２  相手側の端子金具
２ａ  挿入子
３  電線
４  電線接続部
５  電気接触部
１０ａ  底壁（壁）
１０ｂ  底壁（一対の壁）
１１  かしめ片
１２  天井壁（一対の壁、一方の壁）
１５  弾性片
２０  板金
２０ｂ  縁（天井壁相当部の縁）
２１ａ  部分（壁相当部）
２３  天井壁相当部（第２壁相当部）
２４  かしめ片相当部
２６  弾性片相当部
３８  連結部
３９  帯部
４０  折り曲げ箇所
４１  折り曲げ箇所収容窓
【図１】
0003620017.tif 000002
【図２】
0003620017.tif 000003
【図３】
0003620017.tif 000004
【図４】
0003620017.tif 000005
【図５】
0003620017.tif 000006
【図６】
0003620017.tif 000007